(57)【特許請求の範囲】
【請求項１】
紙基材の表面に感熱発色層を備えた単票紙片からなるサーマル印字用紙において、
前記単票紙片の裏面に、紙幅を横断し、かつ最初の切り離し操作をする側端部分を除いて、紙厚を切断しない程度の切込みからなる、ハーフカット状のミシン目又はハーフカット線とし、前記側端部分のみを表裏を貫通する通常のミシン目としてなる、単一若しくは複数の易切断線が形成されていることを特徴とするサーマル印字用紙。
【請求項２】
紙基材の表面に感熱発色層を備え、印字後に所定長さに切断されて複数の単票紙片となる長尺なサーマル印字用紙において、
前記各単票紙片の裏面に、紙幅を横断し、かつ最初の切り離し操作をする側端部分を除いて、紙厚を切断しない程度の切込みからなる、ハーフカット状のミシン目又はハーフカット線とし、前記側端部分のみを表裏を貫通する通常のミシン目としてなる、単一若しくは複数の易切断線が形成されていることを特徴とするサーマル印字用紙。
【発明の詳細な説明】
【０００１】
【発明の属する技術分野】
本発明は、入場券や回数券等に最適なサーマル印字用紙に関する。
【０００２】
【従来の技術】
紙基材の表面に感熱発色層を備え、サーマルプリンタにより印字が施されるサーマル印字用紙が知られている。
【０００３】
かかるサーマル印字用紙を用いて、例えば、使用時に所定箇所で切り離して半券にされる入場券等を構成する場合には、図５に示すように、サーマル印字用紙ａの所定箇所に紙幅を横断するミシン目ｂを予め形成しておき、該ミシン目ｂによってその切り離しを容易に行い得るようにしている。
【０００４】
【発明が解決しようとする課題】
ところで、従来のミシン目ｂは、該ミシン目ｂを構成する個々の切込みが紙基材の表裏を貫通するように形成されているため、感熱発色層からなる印字面に切込みが開いた隙間が生じており、また、該切込みの口縁にバリが発生した状態となっている。このため、ミシン目ｂ上に印字すると、前記隙間やバリに起因して、文字の一部が途切れて判読しにくい所謂印字抜けが発生するという問題点があった。また、前記切込みの口縁から発生する紙粉が、サーマルヘッドに付着すると、感熱発色層に対する熱印加が良好に行われなくなり、印字障害を惹起する。このため、サーマルプリンタにより印字が施されるサーマル印字用紙にあっては、ミシン目の形成に起因する紙粉の発生が大きな問題点となっていた。
【０００５】
本発明は、かかる従来の問題点を解消し得るサーマル印字用紙を提供することを目的とするものである。
【０００６】
【課題を解決するための手段】
本発明は、紙基材の表面に感熱発色層を備えた単票紙片からなるサーマル印字用紙において、前記単票紙片の裏面に、紙幅を横断し、かつ最初の切り離し操作をする側端部分を除いて、紙厚を切断しない程度の切込みからなる、ハーフカット状のミシン目又はハーフカット線とし、前記側端部分のみを表裏を貫通する通常のミシン目としてなる、単一若しくは複数の易切断線が形成されていることを特徴とするサーマル印字用紙である。
【０００７】
ここで、単票紙片の裏面に形成されるハーフカット状のミシン目又はハーフカット線からなる易切断線は、紙基材の裏面側から表面側に向けてその紙厚を切断しない程度の切込みとして形成され、感熱発色層がある表面側の印字面にはミシン目又はハーフカット線は表われない。これにより、ミシン目又はハーフカット線の形成による隙間やバリが印字面に生じることがなく、該ミシン目又はハーフカット線に対応する位置に印字を施しても、印字抜けが生じない。また、切込みの口縁から発生する紙粉によってサーマルヘッドが汚れることがないため、印字障害が生じない。そして、このように印字が施されたサーマル印字用紙は、使用時に易切断線で容易に切り離すことができる。
【０００８】
また、本発明は、紙基材の表面に感熱発色層を備え、印字後に所定長さに切断されて複数の単票紙片となる長尺なサーマル印字用紙において、前記各単票紙片の裏面に、紙幅を横断し、かつ最初の切り離し操作をする側端部分を除いて、紙厚を切断しない程度の切込みからなる、ハーフカット状のミシン目又はハーフカット線とし、前記側端部分のみを表裏を貫通する通常のミシン目としてなる、単一若しくは複数の易切断線が形成されていることを特徴とするサーマル印字用紙である。
【０００９】
かかる構成にあって、長尺なサーマル印字用紙は、ロ−ル状に巻回したり、葛折り状に折畳んだ形態とすることができ、連続自動給紙を行うプリンタによる印字に適したものとなる。そして、このような長尺なサーマル印字用紙にあって、印字後に所定長さに切断される複数の単票紙片の、その各単票紙片の裏面に、単一若しくは複数のハーフカット状のミシン目又はハーフカット線からなる易切断線が夫々形成されていることにより、上記と同様に、印字時における隙間やバリに起因する印字抜けや、サーマルヘッドが紙粉で汚れることに起因する印字障害を防止することができ、使用時には易切断線で容易に切り離すことができる。
【００１０】
【発明の実施の形態】
以下に、本発明にかかるサーマル印字用紙の第一実施例を、図１，図２について説明する。この実施例におけるサーマル印字用紙１は、紙基材２の表面に感熱発色層３を備えた単票紙片４からなり、印字に使用するプリンタの仕様に適合する大きさの矩形状となっている。該単票紙片４の裏面には、図１イ，ロに示すように紙幅を横断する単一若しくは複数の易切断線５が形成されている。該易切断線５はハーフカット状のミシン目又はハーフカット線からなり、この易切断線５で単票紙片４を容易に切り離し得るようになっている。ここで、図１イに示すように、単一の易切断線５を単票紙片４の所定箇所に形成した場合には、該易切断線５で切り離して半券にされる入場券等に適したものとなり、また、図１ロに示すように、複数の易切断線５を所定間隔で形成した場合には、順次切り離して使用される回数券等に適したものとなる。このような易切断線５の形態は使用目的に応じて適宜設定され得る。
【００１１】
前記易切断線５を構成するハーフカット状のミシン目又はハーフカット線は、図２に示すように、紙基材２の裏面側から表面側に向けてその紙厚を切断しない程度の切込みによって、ミシン目は破線状に、ハーフカット線は連続線状に形成されており、感熱発色層３がある表面側の印字面にはミシン目又はハーフカット線は表われない。
【００１２】
尚、ハーフカット状のミシン目又はハーフカット線の線種としては、直線状のもの以外に、波線状，ジクザク状等の任意の線種が適用され、このようなハーフカット状のミシン目又はハーフカット線は、ハーフカットミシンを用いて容易に形成することが可能である。また、紙幅を横断する易切断線５のうち、側端部分のみは、図３に示すように、表裏を貫通する通常のミシン目５’としてもよい。これにより、切り離し時における最初の切り離し操作が容易となる。
【００１３】
かかる構成にあって、サーマル印字用紙１はサーマルプリンタに供給され、入場券や回数券等として使用できるように、サーマルヘッドによる熱印加を介して感熱発色層３を発色させて所要の印字が行われる。そして、この印字時において、感熱発色層３がある表面側の印字面には易切断線５がなく、従来のようなミシン目の切込みが開いた隙間や、切込みの口縁に発生するバリがないため、易切断線５に対応する位置に印字を施しても、印字抜けが生じることがない。また、易切断線５はサーマル印字用紙１の裏面側に設けられているため、切込みの口縁から発生する紙粉がサーマルヘッドに付着することがない。これにより、サーマルヘッドによる熱印加作用が阻害されず、サーマルヘッドが紙粉で汚れることによる印字障害を防止することができる。
【００１４】
図３，図４は、第二実施例を示し、この実施例のサーマル印字用紙１は、第一実施例における単票紙片４が複数連続した状態の長尺状に形成されており、この長尺なサーマル印字用紙１を、図３に示すように、ロ−ル状に巻回したり、図４に示すように、葛折り状に折畳んだ形態としている。ここで、ロ−ル状に巻回された長尺なサーマル印字用紙１は、印字後に仮想線６で示した位置で切断されて所定長さの単票紙片４となる。また、葛折り状に折畳まれた長尺なサーマル印字用紙１は、印字後に折り線７で切断されて所定長さの単票紙片４となる。そして、各単票紙片４の裏面には、第一実施例と同様に、単一若しくは複数のハーフカット状のミシン目又はハーフカット線からなる易切断線５が夫々形成されている。尚、図３，図４には、単一の易切断線５を形成した状態が図示されているが、該易切断線５は、図１ロに示すように、複数形成するようにしてもよい。
【００１５】
かかる構成にあって、長尺なサーマル印字用紙１は、ロ−ル状に巻回したり、葛折り状に折畳んだ形態とすることができるため、連続自動給紙を行うプリンタによる印字に適したものとなり、印字能率及び取扱い性を向上させることができる。そして、このような長尺なサーマル印字用紙１にあって、印字後に所定長さに切断される複数の単票紙片４の、その各単票紙片４の裏面に、単一若しくは複数のハーフカット状のミシン目又はハーフカット線からなる易切断線５が夫々形成されていることにより、第一実施例と同様に、印字時における隙間やバリに起因する印字抜けや、サーマルヘッドが紙粉で汚れることに起因する印字障害を防止することができる。また、使用時には易切断線５で容易に切り離すことができる。
【００１６】
尚、上記両実施例にあって、単票紙片４の表面側には、感熱発色層３の形成前に、適宜の地紋やデザイン図柄を紙基材２の表面に予め印刷形成するようにしてもよく、さらに使用目的に応じて「〇〇入場券」「〇〇回数券」その他の共通的な所要情報を印刷形成するようにしてもよい。この場合、単票紙片４が例えば野球場の入場券であれば、印字面には、サーマルプリンタによって、出場チーム，試合日，指定席番号等の所要の個別情報が印字されることとなる。
【００１７】
【発明の効果】
本発明は、上述したように、紙基材の表面に感熱発色層を備えた単票紙片からなるサーマル印字用紙にあって、前記単票紙片の裏面に、単一若しくは複数のハーフカット状のミシン目又はハーフカット線からなる易切断線を形成したものであるから、従来のようにミシン目の形成によって印字面に隙間やバリが生じることがなく、該易切断線に対応する位置に印字を施しても、印字抜けが生じないため、印字情報の視認性を向上させることができる。また、上記のように、易切断線が単票紙片の裏面に形成されていることにより、ミシン目又はハーフカット線の切込みの口縁から発生する紙粉によってサーマルヘッドが汚れることがないため、該紙粉による印字障害を防止することができる。
【００１８】
また、本発明は、紙基材の表面に感熱発色層を備え、印字後に所定長さに切断されて複数の単票紙片となる長尺なサーマル印字用紙にあって、前記各単票紙片の裏面に、単一若しくは複数のハーフカット状のミシン目又はハーフカット線からなる易切断線を夫々形成したものであるから、易切断線による上記効果に加え、連続自動給紙を行うサーマルプリンタによる印字に適したものとなり、印字能率及び取扱い性を向上させ得る優れた効果がある。
【図面の簡単な説明】
【図１】第一実施例にかかるサーマル印字用紙の斜視図である。
【図２】同上のサーマル印字用紙の縦断面図である。
【図３】第一実施例の変形実施例にかかるサーマル印字用紙の斜視図である。
【図４】ロール状に巻回された第二実施例にかかるサーマル印字用紙の斜視図である。
【図５】葛折り状に折畳まれた第二実施例にかかるサーマル印字用紙の斜視図である。
【図６】従来構成のサーマル印字用紙の斜視図である。
【符号の説明】
１  サーマル印字用紙
２  紙基材
３  感熱発色層
４  単票紙片
５  易切断線
５’ミシン目
【図１】
0004510239.tif 000002
【図２】
0004510239.tif 000003
【図３】
0004510239.tif 000004
【図４】
0004510239.tif 000005
【図５】
0004510239.tif 000006
【図６】
0004510239.tif 000007